(57)【要約】【課題】画像形成装置側の温度上昇を抑制するとともに、偏光板の発熱を効率良く冷却すること。【解決手段】外装ケース１は、画像形成装置２０や投射レンズ３０等を内部に収容する。また、外装ケース１の前面に補助偏光板４０が着脱自在に取り付けられる。この補助偏光板４０は、投射レンズ３０を経た光のうち、所定の偏光方向の成分光を透過する。この補助偏光板４０により、出射側偏光板２５ｉ，２５ｊ，２５ｋやその近傍に配置される液晶パネル２５ａ，２５ｂ，２５ｃの温度上昇を抑制することができる。また、出射側偏光板の劣化を防止できる。【選択図】図２
2008191361.tif 000002
【特許請求の範囲】
【請求項１】
光源から射出された光を変調して画像を形成する画像形成装置と、当該画像形成装置によって形成された画像を投射する投射レンズと、前記画像形成装置と前記投射レンズを内部に収容する外装ケースとを備えたプロジェクタであって、
前記投射レンズの出射側において前記外装ケースと一体的に設けられ、前記投射レンズを経た光のうち、所定の偏光方向の成分光を透過する補助偏光板を備えるプロジェクタ。
【請求項２】
前記画像形成装置は、前記光源を含む照明装置と、前記照明装置からの光の偏向方向を変調する液晶パネルと、前記液晶パネルの前記光源側に配置される入射側偏光板と、前記液晶パネルとの前記投射レンズ側に配置される出射側偏光板とを備える請求項１に記載のプロジェクタ。
【請求項３】
前記所定の偏光方向以外の成分光のうちの一部が前記出射側偏光板によって吸収され、前記所定の偏光方向以外の成分光のうちの残りが前記補助偏光板によって略吸収されるように、前記補助偏光板及び前記出射側偏光板の透過率がそれぞれ設定される請求項２に記載のプロジェクタ。
【請求項４】
前記補助偏光板及び前記出射側偏光板の前記所定の偏光方向以外の成分光に対する透過率は、前記所定の偏光方向以外の成分光の吸収に起因する前記出射側偏光板の熱負荷が、前記補助偏光板の熱負荷と比較して小さくなるようにそれぞれ設定される請求項３に記載のプロジェクタ。
【請求項５】
前記補助偏光板は、前記外装ケースに対して着脱自在に設けられる請求項１から請求項４の何れか一項に記載のプロジェクタ。
【請求項６】
前記投射レンズと前記補助偏光板との間に冷却用空気が流通するダクトを形成するとともに、前記冷却用空気の流路上に冷却用ファンを配置した冷却機構を備える請求項１から請求項５の何れか一項に記載のプロジェクタ。
【請求項７】
前記補助偏光板周辺の温度を検出する温度センサと、
前記温度センサによって検出された前記補助偏光板周辺の温度に基づいて、前記冷却ファンの駆動を制御する制御手段と、
をさらに備える請求項１から請求項６の何れか一項に記載のプロジェクタ。
【発明の詳細な説明】
【技術分野】
【０００１】
本発明は、光源から射出された光を変調して画像を形成する画像形成装置を備え、当該画像形成装置によって形成された画像を投射するプロジェクタに関する。
【背景技術】
【０００２】
従来のプロジェクタとして、液晶パネルの入射側及び出射側に偏光板を配置するとともに、投射される画像のコントラストの向上を目的として、レンチキュラレンズの前面に偏光板を配置したものが知られている（特許文献１参照。）。本技術によれば、画像品位を向上させることができる。
【０００３】
また、別のプロジェクタとして、液晶パネルの入射側に偏光板を配置するとともに、クロスダイクロイックプリズムの出射側に複数の偏光板を配置したものが知られている（特許文献２参照。）。本技術によれば、液晶パネルから離れた位置に偏光板を配置するため、偏光板の発熱による液晶パネルの温度上昇を抑えることができる。
【特許文献１】特開平０９−２５１１４９号公報
【特許文献２】特開２００４−３２５８０７号公報
【発明の開示】
【発明が解決しようとする課題】
【０００４】
しかしながら、特許文献１の技術では、レンチキュラレンズの前面に偏光板を配置するため、偏光板の面積が大型化してしまい、コストが増大するという問題がある。また、特許文献２の技術では、クロスダイクロイックプリズムと投射レンズとの間に偏光板を配置するため、クロスダイクロイックプリズムと投射レンズとの間の距離が大きくなり光学性能に悪影響を与えるといった問題や、偏光板の冷却を効率良く行うことができないといった問題がある。
本発明は、上記した従来の問題点に鑑みてなされたものであり、画像形成装置側の温度上昇を抑制できるとともに、偏光板の発熱を効率良く冷却できるプロジェクタを提供することを目的とする。
【課題を解決するための手段】
【０００５】
上記課題を解決するため、本発明に係るプロジェクタは、光源から射出された光を変調して画像を形成する画像形成装置と、当該画像形成装置によって形成された画像を投射する投射レンズと、画像形成装置と投射レンズを内部に収容する外装ケースとを備えたプロジェクタであって、投射レンズの出射側において外装ケースと一体的に設けられ、所定の偏光方向の成分光を透過する補助偏光板を備える。
【０００６】
上記プロジェクタによれば、投射レンズの出射側に補助偏光板を配置するため、従来画像形成装置側で生じていた温度上昇を抑制することができる。また、補助偏光板は、投射レンズの出射側で外装ケースと一体的に設けられる。このため、補助偏光板と投射レンズとの間にスペースを確保できるので、上述した所定の偏光方向以外の成分光の吸収に起因する発熱の効率的な冷却が実現できる。また、外観上投射レンズが露出しない。このため、粉塵等による投射レンズの汚染を防止することができるとともに、意匠効果も向上する。一方で、投射レンズの出射側に設けた補助偏光板によって所定の偏光方向の成分光を透過するため、画像のコントラスト低下を軽減させることができる。よってプロジェクタの長寿命化を図ることができる。
【０００７】
また、本発明の具体的な態様によれば、上記プロジェクタにおいて、画像形成装置が、光源を含む照明装置と、照明装置からの光の偏向方向を変調する液晶パネルと、液晶パネルの光源側に配置される入射側偏光板と、液晶パネルとの投射レンズ側に配置される出射側偏光板とを備える。これによれば、液晶パネルの射出側に、出射側偏光板と補助偏光板とが配置され、これら偏向板によって所定の偏光方向以外の成分光を段階的に遮断することができる。
【０００８】
また、本発明のさらに別の態様では、所定の偏光方向以外の成分光のうちの一部が出射側偏光板によって吸収され、所定の偏光方向以外の成分光のうちの残りが補助偏光板によって略吸収されるように、補助偏光板及び出射側偏光板の透過率がそれぞれ設定される。これによれば、所定の偏光方向以外の成分光の吸収に起因する熱負荷を、補助偏光板と出射側偏光板とに適宜分担させることができる。したがって、出射側偏光板の発熱を抑制することができ、延いては液晶パネルの温度上昇を抑制できる。また、出射側偏光板の劣化を防止することが可能となる。
【０００９】
本発明のさらに別の態様では、補助偏光板及び出射側偏光板の所定の偏光方向以外の成分光に対する透過率は、所定の偏光方向以外の成分光の吸収に起因する出射側偏光板の熱負荷が、補助偏光板の熱負荷と比較して小さくなるようにそれぞれ設定される。これによれば、出射側偏光板の発熱をより一層抑制することができる。
【００１０】
本発明のさらに別の態様では、補助偏光板は、外装ケースに対して着脱自在に設けられる。これによれば、補助偏光板が劣化した場合や、コントラスト調整等を目的としたユーザによる交換作業を容易に実施可能とできる。
【００１１】
本発明のさらに別の態様では、投射レンズと補助偏光板との間に冷却用空気が流通するダクトを形成するとともに、冷却用空気の流路上に冷却用ファンを配置した冷却機構を備える。これによれば、投射レンズと補助偏光板との間に冷却用空気を流通させることができるので、光の吸収に起因する補助偏光板の発熱を効率的に防止することができる。
【００１２】
本発明のさらに別の態様では、補助偏光板周辺の温度を検出する温度センサと、温度センサによって検出された補助偏光板周辺の温度変化に基づいて、冷却ファンの駆動を制御するファン駆動制御部と、をさらに備える。これによれば、補助偏光板周辺の温度変化に応じて冷却ファンを必要に応じて適宜駆動させることができる。したがって、補助偏光板の発熱をより効率的かつ確実に防止することが可能となる。
【発明を実施するための最良の形態】
【００１３】
以下、図面を参照し、本発明の一実施形態に係るプロジェクタについて詳細に説明する。図１は、本実施形態に係るプロジェクタの外観を説明する斜視図である。本プロジェクタ１０は、直方体形状の外装ケース１を有する。外装ケース１の前面には、後述する補助偏光板４０が着脱自在に取り付けられるとともに、外装ケース１の内部に冷却用の外気（冷却用空気）を導入する吸気口３が設けられる。また、外装ケース１の後面には、吸気口３から導入されて外装ケース１の内部を流通する冷却用空気を排気する排気口５や、不図示の各種入力端子、電力供給用のＡＣインレット等が適宜設けられる。
【００１４】
図２は、プロジェクタ１０の内部構成を説明する概念図である。同図に示すように、外装ケース１は、画像形成装置２０や、投射レンズ３０、冷却機構５０、温度センサ６０、回路装置７０、不図示の電源装置等を内部に収容する。また、前述のように、外装ケース１の前面に補助偏光板４０が着脱自在に取り付けられる。
【００１５】
画像形成装置２０は、光源光を発生する照明装置２１と、照明装置２１からの光源光を赤緑青の３色に分割する色分離光学系２３と、色分離光学系２３から射出された各色の照明光によって照明される光変調部２５と、光変調部２５からの各色の像光を合成するクロスダイクロイックプリズム２７とを備え、スクリーンに投射すべき像光を形成する。
【００１６】
照明装置２１は、光源ランプ２１ａと、凹レンズ２１ｂと、一対のレンズアレイ２１ｄ，２１ｅと、偏光変換部材２１ｇと、重畳レンズ２１ｉとを備える。このうち、光源ランプ２１ａは、例えば高圧水銀ランプからなり、光源光を回収して前方に射出させる凹面鏡を備える。凹レンズ２１ｂは、光源ランプ２１ａからの光源光を平行化する役割を有するが、省略することもできる。一対のレンズアレイ２１ｄ，２１ｅは、マトリックス状に配置された複数の要素レンズからなり、これらの要素レンズによって凹レンズ２１ｂを経た光源ランプ２１ａからの光源光を分割して個別に集光・発散させる。偏光変換部材２１ｇは、レンズアレイ２１ｅから射出した光源光を例えば図２の紙面に垂直なＳ偏光成分のみに変換して次段光学系に供給する。重畳レンズ２１ｉは、偏光変換部材２１ｇを経た照明光を全体として適宜収束させることにより、光変調部２５に設けた各色の光変調装置に対する重畳照明を可能にする。つまり、両レンズアレイ２１ｄ，２１ｅと重畳レンズ２１ｉとを経た照明光は、以下に詳述する色分離光学系２３を経て、光変調部２５に設けられた各色の液晶パネル２５ａ，２５ｂ，２５ｃを均一に重畳照明する。
【００１７】
色分離光学系２３は、第１及び第２ダイクロイックミラー２３ａ，２３ｂと、補正光学系である３つのフィールドレンズ２３ｆ，２３ｇ，２３ｈと、反射ミラー２３ｊ，２３ｍ，２３ｎ，２３ｏとを備える。ここで、第１ダイクロイックミラー２３ａは、赤緑青の３色のうち例えば赤光及び緑光を反射し青光を透過させる。また、第２ダイクロイックミラー２３ｂは、入射した赤及び緑のうち例えば緑光を反射し赤光を透過させる。この色分離光学系２３において、照明装置２１からの略白色の光源光は、反射ミラー２３ｊで光路を折り曲げられて第１ダイクロイックミラー２３ａに入射する。第１ダイクロイックミラー２３ａを通過した青光は、例えばＳ偏光のまま、反射ミラー２３ｍを経てフィールドレンズ２３ｆに入射する。また、第１ダイクロイックミラー２３ａで反射されて第２ダイクロイックミラー２３ｂでさらに反射された緑光は、例えばＳ偏光のままフィールドレンズ２３ｇに入射する。さらに、第２ダイクロイックミラー２３ｂを通過した赤光は、例えばＳ偏光のまま、レンズＬＬ１，ＬＬ２及び反射ミラー２３ｎ，２３ｏを経て、入射角度を調節するためのフィールドレンズ２３ｈに入射する。レンズＬＬ１，ＬＬ２及びフィールドレンズ２３ｈは、リレー光学系を構成している。このリレー光学系は、第１レンズＬＬ１の像を、第２レンズＬＬ２を介してほぼそのままフィールドレンズ２３ｈに伝達する機能を備えている。
【００１８】
光変調部２５は、３つの液晶パネル２５ａ，２５ｂ，２５ｃと、各液晶パネル２５ａ，２５ｂ，２５ｃを挟むように配置される３組の入射側偏光板２５ｅ，２５ｆ，２５ｇ及び出射偏光板２５ｉ，２５ｊ，２５ｋとを備える。ここで、青光用の液晶パネル２５ａと、これを挟む一対の入射側偏光板２５ｅ及び出射偏光板２５ｉとは、照明光のうち青光を画像情報に基づいて２次元的に輝度変調するための青光用の液晶ライトバルブ２５ｍを構成する。同様に、緑光用の液晶パネル２５ｂと、対応する入射側偏光板２５ｆ及び出射偏光板２５ｊは、緑光用の液晶ライトバルブ２５ｎを構成し、赤光用の液晶パネル２５ｃと、入射側偏光板２５ｇ及び出射偏光板２５ｋは、赤光用の液晶ライトバルブ２５ｏを構成する。
【００１９】
詳細には、青光用の液晶パネル２５ａには、色分離光学系２３の第１ダイクロイックミラー２３ａで反射されることによって分岐された青光が、フィールドレンズ２３ｆを介して入射する。緑光用の液晶パネル２５ｂには、色分離光学系２３の第２ダイクロイックミラー２３ｂで反射されることによって分岐された緑光が、フィールドレンズ２３ｇを介して入射する。赤光用の液晶パネル２５ｃには、第２ダイクロイックミラー２３ｂを透過することによって分岐された赤光が、フィールドレンズ２３ｈを介して入射する。各液晶パネル２５ａ，２５ｂ，２５ｃにそれぞれ入射した３色の光は、その偏光方向に関して、各液晶パネル２５ａ，２５ｂ，２５ｃに電気的信号として入力された駆動信号或いは画像信号に応じて変調される。その際、入射側偏光板２５ｅ，２５ｆ，２５ｇによって、各液晶パネル２５ａ，２５ｂ，２５ｃに入射する照明光の偏光方向が正確に調整されるとともに、出射側偏光板２５ｉ，２５ｊ，２５ｋによって、各液晶パネル２５ａ，２５ｂ，２５ｃから射出される変調光から所定の偏光方向の成分光が像光として取り出される。つまり、青光用の液晶ライトバルブ２５ｍと、緑光用の液晶ライトバルブ２５ｎと、赤光用の液晶ライトバルブ２５ｏとは、それぞれ入射した照明光の空間的強度分布を変調する非発光型の光変調装置として機能している。なお、後述するが、出射側偏光板２５ｉ，２５ｊ，２５ｋの透過率を、所定の偏光方向以外の成分光（例えば図２の紙面に水平なＰ偏光）のうちの一部を吸収するように設定する。
【００２０】
クロスダイクロイックプリズム２７は、光合成部材であり、４つの直角プリズムを貼り合わせた平面視略正方形状をなし、直角プリズム同士を貼り合わせた界面には、Ｘ字状に交差する一対の誘電体多層膜２７ａ，２７ｂが形成されている。一方の第１誘電体多層膜２７ａは青光を反射し、他方の第２誘電体多層膜２７ｂは赤光を反射する。このクロスダイクロイックプリズム２７は、液晶パネル２５ａからの青光を第１誘電体多層膜２７ａで反射して進行方向右側に射出させ、液晶パネル２５ｂからの緑光を第１及び第２誘電体多層膜２７ａ，２７ｂを介して直進・射出させ、液晶パネル２５ｃからの赤光を第２誘電体多層膜２７ｂで反射して進行方向左側に射出させる。
【００２１】
投射レンズ３０は、クロスダイクロイックプリズム２７で合成されたカラーの像光を、補助偏光板４０を介して所望の倍率で不図示のスクリーン上に投射する。つまり、各液晶パネル２５ａ，２５ｂ，２５ｃに入力された駆動信号或いは画像信号に対応する所望の倍率のカラー動画やカラー静止画がスクリーン上に投射される。
【００２２】
補助偏光板４０は、投射レンズ３０を経た光のうち、所定の偏光方向の成分光（例えば図２の紙面に水平なＰ偏光）を透過し、所定の偏光方向以外の成分光（例えば図２の紙面に垂直なＳ偏光）を吸収する。詳細には、前述のように出射側偏光板２５ｉ，２５ｊ，２５ｋによって所定の偏光方向以外の成分光のうちの一部が吸収されるが、補助偏光板４０は、残りの所定の偏光方向以外の成分光を吸収する。より詳細には、補助偏光板４０及び出射側偏光板２５ｉ，２５ｊ，２５ｋの目的外の偏光に対する透過率を、光の吸収に起因する出射側偏光板２５ｉ，２５ｊ，２５ｋの発熱が許容される程度に保たれるように、それぞれ設定する。これにより、出射側偏光板２５ｉ，２５ｊ，２５ｋの発熱が許容範囲内で維持されるように、光の吸収に起因する熱負荷を、補助偏光板と出射側偏光板２５ｉ，２５ｊ，２５ｋとに分担させることができる。したがって、出射側偏光板２５ｉ，２５ｊ，２５ｋ自体や、出射側偏光板２５ｉ，２５ｊ，２５ｋの近傍に配置される液晶パネル２５ａ，２５ｂ，２５ｃの温度上昇を抑制することができる。また、出射側偏光板の劣化を防止できる。よってプロジェクタの長寿命化を図ることができる。一方で、投射レンズ３０の出射側に設けた補助偏光板４０によって所定の偏光方向の成分光を選択的に透過させるため、画像のコントラスト低下を軽減させることができる。
【００２３】
また、この補助偏光板４０は、外装ケース１前面の投射レンズ３０の出射側となる位置に形成された開口部に配置される。より詳細には、補助偏光板４０は、止め具等の保持機構４１により外装ケース１に着脱自在に取り付けられ、外装ケース１に対して補助偏光板４０を簡単に着脱することができるようになっている。これにより、ユーザは、補助偏光板４０が劣化した場合の交換作業や、コントラスト調整等を目的とした補助偏光板４０の交換作業を容易に実施することができる。そして、外観上投射レンズ３０が露出しないので、粉塵等による投射レンズ３０の汚染を防止することができるとともに、意匠効果も向上する。
【００２４】
冷却機構５０は、ダクト５３と、第１冷却ファン５５と、第２冷却ファン５７とを含む。このうち、ダクト５３は、投射レンズ３０と補助偏光板４０との間のスペース、すなわち流路壁５１と外装ケース１の前面部分とで囲まれている。なお、流路壁５１は、外装ケース１内おいて前側のダクト５３と後側の像形成装置２０とを仕切る役割を有する。第１冷却ファン５５は、後述する冷却用空気の流路ＡＲ上であって、流路壁５１に設置されている。第２冷却ファン５７は、冷却用空気の流路ＡＲ上であって、光源ランプ２１ａの近傍に配置されている。この冷却機構５０により、吸気口３からダクト５３内を流通し、第１冷却ファン５５から画像形成装置２０側を通過し、第２冷却ファン５７から排気口５に導かれる冷却用空気の流路ＡＲが形成される。
【００２５】
そして、第１冷却ファン５５及び第２冷却ファン５７が後述の回路装置７０によって駆動されると、吸気口３から冷却用空気が導入され、ダクト５３内を流通して補助偏光板４０を冷却する。補助偏光板４０を冷却した冷却用空気は、第１冷却ファン５５を通過して画像形成装置２０側に導入され、画像形成装置２０側を構成する各部を冷却し、最後に光源ランプ２１ａを冷却する。光源ランプ２１ａを冷却した冷却用空気は、第２冷却ファン５７から排気口５に導かれ、外装ケース１の外部へ排気される。これによれば、吸気口３から導入した冷却用空気が、流路壁５１に沿ってダクト５３内を流通するため、補助偏光板４０の発熱を効率良く冷却することができる。そして、前述のようにダクト５３内を流通して補助偏光板４０を冷却する冷却用空気が画像形成装置２０側を通過するため、筐体内をも冷却することができる。さらに、画像形成装置２０側を通過した冷却用空気は、光源ランプ２１ａの近傍に配置される第２冷却ファン５７から排気口５に導かれて排気されるため、光源ランプ２１ａをも冷却することができる。なお、画像形成装置２０の冷却装置として、上記冷却機構５０とは別に、液晶ライトバルブ２５ｍ，２５ｎ，２５ｏを冷却するための専用の冷却系を設けることもできる。
【００２６】
温度センサ６０は、補助偏光板４０周辺の適所に配置されて、補助偏光板４０周辺の温度を測定する。
【００２７】
回路装置７０は、プリント基板上に搭載された電子部品からなり、プロジェクタ１０全体の動作を統括的に制御する。なお、この回路装置７０は、外装ケース１内の適所に収められるものであり、図２中において破線により示している。
【００２８】
図３は、回路装置７０の構成を説明するためのブロック図である。回路装置７０は、ビデオ信号等の外部画像信号が入力される画像処理部７１と、画像処理部７１の出力に基づいて各液晶ライトバルブ２５ａ，２５ｂ，２５ｃを駆動するライトバルブ駆動部７３と、第１冷却ファン５５及び第２冷却ファン５７を個別に駆動する冷却ファン駆動部７５と、温度センサ６０を駆動して補助偏光板４０周辺の温度を検出するセンサ駆動部７７と、各部７１，７５，７７等の動作を統括的に制御する制御部７９とを備える。
【００２９】
画像処理部７１は、入力された外部画像信号に対して適宜補正処理を行う画像補正回路７１ａを備える。画像処理部７１すなわち画像補正回路８１ａは、制御部７９からの指令に基づいて、外部画像信号に対して色補正や歪補正等の各種画像処理を行う。
【００３０】
ライトバルブ駆動部７３は、画像処理部７１から入力される画像処理後の画像信号に基づいて青光用の液晶ライトバルブ２５ｍ、緑光用の液晶ライトバルブ２５ｎ、及び赤光用のライトバルブ２５ｏの表示状態を調節する駆動信号を発生する。これにより、液晶パネル２５ａ，２５ｂ，２５ｃ、及びこれらに付随する入射側偏光板２５ｅ，２５ｆ，２５ｇや、出射側偏光板２５ｉ，２５ｊ，２５ｋからなる液晶ライトバルブ２５ｍ，２５ｎ，２５ｏにおいて、画像処理部７１から出力された画像信号に対応した画像を形成することができる。
【００３１】
冷却ファン駆動部７５は、制御部７９から入力される制御信号に基づいて第１冷却ファン５５及び第２冷却ファン５７の駆動信号を発生する。具体的には、冷却ファン駆動部７５は、制御部７９から入力される制御信号に応じて第１冷却ファン５５及び第２冷却ファン５７の回転数を変更して、第１冷却ファン５５及び第２冷却ファン５７の冷却状態を調節する。
【００３２】
センサ駆動部７７は、温度センサ６０とともに計測装置として機能する。すなわち、センサ駆動部７７は、温度センサ６０を利用して、プロジェクタ１０中の補助偏光板４０周辺の温度を検出し、検出値を制御部７９に出力する。
【００３３】
制御部７９は、マイクロコンピュータ等からなり、本実施形態を実現するための処理として、センサ駆動部７７から随時入力される補助偏光板４０周辺の温度変化に応じて冷却ファン駆動部７５を制御し、第１冷却ファン５５及び第２冷却ファン５７を駆動させるための処理を行う。この制御部７９は、プロジェクタ１０の動作に必要な各種データを保持するメモリ７０ａを内蔵しており、第１冷却ファン５５及び第２冷却ファン５７の冷却状態を判定するための基準となる基準温度情報が記憶される。制御部７９は、センサ駆動部７７から入力される検出値に基づいて、補助偏光板４０周辺の温度変化を監視する。そして、メモリ７０ａに記憶される基準温度情報をもとに第１冷却ファン５５及び第２冷却ファン５７の冷却状態を判定し、冷却状態が十分ではない場合等、必要に応じて冷却状態を調整するための制御信号を冷却ファン駆動部７５に出力する。これによれば、必要に応じて第１冷却ファン５５及び第２冷却ファン５７を駆動させることができるので、補助偏光板４０の発熱をより効率的に防止できる。また、第１冷却ファン５５及び第２冷却ファン５７の駆動による騒音レベルを低下させることが可能となる。なお、温度センサ６０を具備しない構成とし、制御部７９は、常時冷却ファン駆動部７５に制御信号を出力し、第１冷却ファン５５及び第２冷却ファン５７を駆動させることとしても構わない。
【００３４】
以上、本発明を適用した好適な実施形態について説明したが、以下のような変形例も可能である。すなわち、上記実施形態のプロジェクタ１０では、照明装置２１を、光源ランプ２１ａ、一対のレンズアレイ２１ｄ，２１ｅ、偏光変換部材２１ｇ、及び重畳レンズ２１ｉで構成したが、レンズアレイ２１ｄ，２１ｅ、偏光変換部材２１ｇ等については省略することができ、光源ランプ２１ａも、ＬＥＤ等の別光源に置き換えることができる。
【００３５】
また、上記実施形態では、色分離光学系２３を用いて照明光の色分離を行って、光変調部２５において各色の変調を行った後に、クロスダイクロイックプリズム２７において各色の像の合成を行っているが、色分離光学系２３を省略し、単一の液晶パネルを用いたプロジェクタにも同様に適用可能である。また、液晶パネル２５ａ，２５ｂ，２５ｃは透過型の例のみを挙げたが、反射型の液晶パネルを採用したプロジェクタにも適用可能である。
【００３６】
また、上記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【図面の簡単な説明】
【００３７】
【図１】本実施形態に係るプロジェクタの外観を説明する斜視図である。
【図２】プロジェクタの内部構成を説明する概念図である。
【図３】回路装置の構成を説明するためのブロック図である。
【符号の説明】
【００３８】
１０…プロジェクタ  １…外装ケース  ３…吸気口  ５…排気口  ２０…画像形成装置  ２１…照明装置  ２３…色分離光学系  ２５…光変調部  ２７…クロスダイクロイックプリズム  ３０…投射レンズ  ４０…補助偏光板  ５０…冷却機構  ５３…ダクト  ５５…第１冷却ファン  ５７…第２冷却ファン  ６０…温度センサ  ７０…回路装置  ７１…画像処理部  ７３…ライトバルブ駆動部  ７５…冷却ファン駆動部  ７７…センサ駆動部  ７９…制御部
【図１】
2008191361.tif 000003
【図２】
2008191361.tif 000004
【図３】
2008191361.tif 000005